(57)【特許請求の範囲】
【請求項１】
加熱調理中に発生する汚染空気を吸い込み捕集し、当該汚染空気中に含まれている汚染物質を除去手段により分離除去して清浄化したのちに室内に戻す構成の室内循環式空気捕集装置の運転と、室内空気を浄化する空気浄化装置の運転とを連動させる運転制御システムであって、
前記室内循環式空気捕集装置と前記空気浄化装置とにそれぞれ備えられる送受信手段および該送受信手段を介して少なくとも前記空気浄化装置の運転の有無状態を判定する判定手段を備え、
前記室内循環式空気捕集装置の運転開始時または運転開始後、前記判定手段により前記空気浄化装置の運転情報を判定し、その判定結果、空気浄化装置の運転が停止状態であると判定された場合、該空気浄化装置に前記送受信手段を介して運転開始指令信号を送信する一方で、既に運転状態であると判定された場合は運転開始指令信号を送信しないとともに、その後前記室内循環式空気捕集装置が運転を停止したときにも運転停止指令信号を送信しないように構成されていることを特徴とする運転制御システム。
【請求項２】
前記室内循環式空気捕集装置の運転が停止してから設定時間が経過した後に、前記空気浄化装置に送受信手段を介して運転停止指令信号を送信するように前記設定時間をカウントするタイマ手段をさらに備えていることを特徴とする請求項１に記載の運転制御システム。
【請求項３】
空気中の汚染物質量を検出するセンサをさらに備え、
前記判定手段は、前記センサによる検出値が設定値に達したか、それを超えたと判定する判定機能をさらに備え、
前記判定手段により検出値が設定値に達したか、それを超えたと判定され、なおかつ、前記空気浄化装置の運転の有無状態が停止状態であると判定された場合、該空気浄化装置に送受信手段を介して運転開始指令信号が送信されるように構成されていることを特徴とする請求項１または請求項２に記載の運転制御システム。
【請求項４】
前記空気浄化装置がエアコンであり、該エアコンの運転モードを切り替えるモード切替え手段を備え、
室内循環式空気捕集装置の運転開始時または運転開始後、前記エアコンが停止状態で、なおかつ、運転モードが前記室内循環式捕集装置の要求運転モードでないと判定手段により判定された場合、前記エアコンに運転開始指令信号と要求運転モードへのモード切替え指令信号が送受信手段を送信されるように構成されていることを特徴とする請求項１〜３のいずれかに記載の運転制御システム。
【請求項５】
前記センサは、空気中の水分量を検出する湿度センサであることを特徴とする請求項３に記載の運転制御システム。
【発明の詳細な説明】
【技術分野】
【０００１】
本発明は、加熱調理中に発生する汚染空気を吸い込み捕集し、当該汚染空気を清浄化したのちに室内に戻す室内循環式空気捕集装置と空気浄化装置との運転を連動させる運転制御システムに関する。
【背景技術】
【０００２】
近年では、二酸化炭素や一酸化炭素などの有害物質を含む燃焼ガスが発生するガスコンロに代わり、燃焼ガスを発生させずに加熱調理することができる電気調理器（電気コンロ）や電磁誘導加熱調理器（ＩＨクッキングヒータ）などの加熱調理器が普及してきている。
【０００３】
燃焼ガスを発生しない加熱調理器、例えば、電磁誘導加熱調理器を使用しての加熱調理では、電磁誘導加熱調理器などから発生する汚染空気中に二酸化炭素や一酸化炭素などの有害物質が含まれていないために、汚染空気を清浄化することができるのであれば、室内に循環（還流）させることができる。
また、加熱調理中に汚染空気を清浄化させて室内に戻す構成の室内循環式空気捕集装置を採用することで、例えば、室内空気圧の変化、室内環境の汚染、そしてエアコンなどによる暖房や冷房などの室内空調エネルギーのロスなどを引き起こすなどの問題を解消することができる。
【０００４】
そこで、このような室内循環式空気捕集装置としては、本出願人が特許文献１などにおいて提案している室内循環式レンジフードが知られている。
この室内循環式レンジフードは、汚染空気を吸い込み捕集するとともに、汚染空気中に含まれている油脂分（油煙）、臭気（調理臭）、水分（水蒸気、湿気）などの汚染物質を各種除去手段により汚染空気から分離除去し、清浄化したクリーンな空気として室内に戻す空気清浄化機能を備えている。
【０００５】
また、近年では、ダイニングなどの隣室と間仕切りなどによって仕切られた個室形式のキッチンから、利便性と居住空間の開放感などを兼ね備えたオープン形式のキッチンが普及してきている。
このオープン形式のキッチンは、ダイニングなどの隣室との間仕切りなどによる隔たりをなくし、広々とした開放的な見渡し空間を演出することができるなどから好適である。
【先行技術文献】
【特許文献】
【０００６】
【特許文献１】特開２００５−６９５３５号公報（段落番号００２２、００２３、００２７、および図１など参照）
【発明の概要】
【発明が解決しようとする課題】
【０００７】
ところで、茹でる、蒸す、煮込み料理などの加熱調理では、調理鍋などからの水分の発生量が、炒める、焼くなどの加熱調理に比べて多く、しかも、時間を掛けて行われる。
【０００８】
特許文献１に記載の従来技術における室内循環式レンジフードでは、例えば、図１に示されているペルチェモジュールからなる除湿手段を備え、加熱調理中に吸い込み捕集された汚染空気が室内（キッチン）に戻される流路途中で、汚染空気中から水分を除去（分離回収）するようになっている。これにより、室内湿度の上昇を防ぐことは勿論のこと、レンジフードの表面や汚染空気の流路部分などでの結露の発生を防ぐようにしている。
【０００９】
しかしながら、この従来技術では、炒める、焼くなどの水分の発生量が比較的に少ない加熱調理においてはかなり有効な手法であることが立証されているものの、蒸す、煮込み料理などの水分の発生量が多く、時間を掛けて行われる加熱調理の場合では、レンジフードに備えられている除湿手段の除湿能力を超える量の水分（水蒸気）が汚染空気中に含まれていることから、汚染空気中からの水分の除去が十分に行われないことがある。
そのために、室内循環式レンジフードに備えられている除湿手段の除湿能力を超える水分が発生する煮込み料理などの加熱調理では、キッチンは勿論のこと、キッチンと開放感にて連なるダイニングやリビングなどにおける室内湿度が必要以上に上昇し、使用者（調理者）を含めた居住者に不快感を与えてしまうおそれ、そしてカビ菌などが発生するおそれがあるなどから、その防止対策が求められていた。
【００１０】
そこで、本発明は、このような問題を解消することを課題に創案されたものである。すなわち、室内空気を浄化する壁設置タイプや床置きタイプなどの空気浄化装置を有効に活用し、室内循環式空気捕集装置に備えられている除去手段による空気浄化能力、例えば、除湿手段による除湿能力を超える多くの水分（水蒸気）が発生する加熱調理の場合、室内循環式空気捕集装置の運転に連動させて空気浄化装置を運転させて、空気浄化装置に除湿を補助させること、また、室内循環式空気捕集装置が運転を開始したときなどに、空気浄化装置の運転状態の有無や運転情報を確認し取得した上で、空気浄化装置の運転を室内循環式空気捕集装置の運転に連動させて除湿などの補助を可能にすること、などが本発明の目的である。
【課題を解決するための手段】
【００１１】
前記課題を解決するために、本発明による運転制御システムでは、以下の独立請求項に係る構成を少なくとも具備している。
【００１８】
本発明では、加熱調理中に発生する汚染空気を吸い込み捕集し、当該汚染空気中に含まれている汚染物質を除去手段により分離除去して清浄化したのちに室内に戻す構成の室内循環式空気捕集装置の運転と、室内空気を浄化する空気浄化装置の運転とを連動させる運転制御システムであって、
前記室内循環式空気捕集装置と前記空気浄化装置とにそれぞれ備えられる送受信手段および該送受信手段を介して少なくとも前記空気浄化装置の運転の有無状態を判定する判定手段を備え、前記室内循環式空気捕集装置の運転開始時または運転開始後、前記判定手段により前記空気浄化装置の運転情報を判定し、その判定結果、空気浄化装置の運転が停止状態であると判定された場合、該空気浄化装置に前記送受信手段を介して運転開始指令信号を送信する一方で、既に運転状態であると判定された場合は運転開始指令信号を送信しないとともに、その後前記室内循環式空気捕集装置が運転を停止したときにも運転停止指令信号を送信しないように構成されていることを特徴とする運転制御システムにある。
ここで、前記室内循環式空気捕集装置としては、室内循環式レンジフードを挙げることができる。前記空気浄化装置としては、エアコンや空気清浄機、そして換気装置などを挙げることができる。そして、前記室内循環式空気捕集装置と前記空気浄化装置との送受信方式としては、無線方式と有線方式を挙げることができる。
【００１９】
そして、この運転制御システムにおいて、前記室内循環式空気捕集装置の運転が停止してから設定時間が経過した後に、前記空気浄化装置に送受信手段を介して運転停止指令信号を送信するように前記設定時間をカウントするタイマ手段を備えていること、また、空気中の汚染物質量を検出するセンサをさらに備え、前記判定手段は、前記センサにより検出された検出値と設定値とを判定する判定機能をさらに備え、前記判定手段により検出値が設定値に達したか、それを超えたと判定され、かつ、前記空気浄化装置が停止状態であると判定された場合、該空気浄化装置に送受信手段を介して運転開始指令信号が送信されること、などの構成を採用することが好適なものとなる。
また、前記空気浄化装置がエアコンである場合では、エアコンの運転モードを切り替えるモード切替え手段を備え、室内循環式空気捕集装置の運転開始時または運転開始後、前記エアコンが停止状態で、なおかつ、該エアコンの運転モードが室内循環式空気捕集装置からの要求運転モードでないと判定手段により判定された場合、該エアコンに運転開始指令信号と要求運転モードへのモード切替え指令信号が送受信手段を介して送信されるように構成されていることが好適なものとなる。ここで、前記要求運転モード（補助運転モード）としては、除湿運転モードや脱臭運転モードなどを挙げることができる。
【００２０】
このような構成の運転制御システムによれば、室内循環式空気捕集装置の運転開始時または運転開始後において、室内空気を浄化する空気浄化装置に送受信手段を介して運転開始を指令し、空気浄化装置の運転を室内循環式空気捕集装置の運転に連動させる。
このとき、判定手段によって空気浄化装置の運転が停止状態であると判定された場合、空気浄化装置に送受信手段を介して運転開始を指令する一方で、空気浄化装置が既に運転状態であると判定された場合には運転開始を指令しないとともに、室内循環式空気捕集装置が運転を停止したときにも空気浄化装置に運転停止を指令しない。
【００２１】
そして、空気浄化装置がエアコンである場合で、室内循環式空気捕集装置が運転を開始したとき、既に運転状態にあるエアコンの運転モードが、例えば、暖房運転モードであると判定手段によって判定され、なおかつ、室内循環式空気捕集装置からの要求運転モードが除湿運転モードの場合は、モード切替え手段によってエアコンの運転モードが暖房運転モードから除湿運転モードに自動的に切り替えられる。
【発明の効果】
【００２６】
本発明の運転制御システムによれば、室内循環式空気捕集装置の運転に室内空気を浄化する空気浄化装置の運転を連動させることができる。
このとき、判定手段によって空気浄化装置の運転が停止状態であると判定された場合、空気浄化装置に送受信手段を介して運転開始指令信号を送信する一方で、空気浄化装置が既に運転状態であると判定された場合には運転開始指令信号を送信しないとともに、室内循環式空気捕集装置が運転を停止したときにも空気浄化装置に運転停止指令信号を送信しない。
これにより、空気浄化装置の通常運転を妨げることなく、例えば、室内循環式空気捕集装置の除湿手段による除湿能力を超える多くの水分（水蒸気）が発生する煮込み料理などの加熱調理の場合には、除湿機能や換気機能などの空気浄化機能を備えている空気浄化装置を有効に活用して除湿を補助させることができる。
【００２７】
また、空気浄化装置がエアコンで、室内循環式空気捕集装置が運転を開始したとき、エアコンの運転モードが、モード切替え手段によって室内循環式空気捕集装置からの要求運転モード（補助運転モード）に自動的に切り替えられる。例えば、室内循環式空気捕集装置からの要求運転モードが除湿運転モードで、既に運転状態のエアコンの運転モードが暖房運転モードである場合、エアコンの運転モードが暖房運転モードから除湿運転モードに自動的に切り替えられる。
これにより、人為的な切替え操作（手動によるスチッチ操作など）を必要とせずに、エアコンの運転モードは自動的に除湿運転モードに切り替わり、室内循環式空気捕集装置の運転に連動して除湿を補助する。つまりは、エアコンが備えている除湿機能を有効に活用して除湿を補助させることができる。
【図面の簡単な説明】
【００２８】
【図１】本発明の実施形態に係る室内循環式空気捕集装置の一例として室内循環式レンジフードを示す縦断側面図である。
【図２】同室内循環式レンジフードに適用される運転装置の概略構成の一例を示す機能ブロック図である。
【図３】同運転装置が適用された室内循環式レンジフードとエアコンとの連動運転の一例を示す動作フローチャートである。
【図４】本発明の実施形態に係る運転制御システムの一例を示す機能ブロック図である。
【図５】同運転制御システムによる室内循環式レンジフードとエアコンとの連動運転の一例を示す動作フローチャートである。
【図６】図５の続きを示す動作フローチャートである。
【図７】図５の続きを示す動作フローチャートである。
【発明を実施するための形態】
【００２９】
以下、本発明の実施形態について、適宜図面を参照しながら詳細に説明する。
【００３０】
［室内循環式空気捕集装置の実施形態］
本実施形態では、図示省略の加熱調理器（ＩＨクッキングヒータ）の略真上に位置して壁面に取り付けられる壁設置タイプの室内循環式レンジフードを室内循環式空気捕集装置の一例として挙げて説明するが、これに限定されるものではない。
例えば、天井設置タイプの室内循環式レンジフード、加熱調理器がビルトイン方式によって設置されるキャビネット内に内設されて、汚染空気を加熱調理器周辺の吸込み口から下引きにて吸い込み捕集するキャビネット内蔵タイプの室内循環式空気浄化装置、また、ダイニングテーブルなどの略真上に位置する天井などに取り付けられる室内循環式空気浄化機能が搭載されている照明機器、などを挙げることができる。
【００３１】
≪室内循環式レンジフードの説明≫
図１は、本発明の実施形態に係る室内循環式空気捕集装置の一例として室内循環式レンジフードを示す縦断側面図である。
室内循環式レンジフード（以後、単に「レンジフード」と称する）Ａは、周知の構成を成し、その具体的な構成としては特に限定されるものでない。例えば、前記の背景技術欄において挙げた特開２００５−６９５３５号公報の図１に示されている構成を成している。
すなわち、図１に示すように、扁平薄箱状のフード部１と、このフード部１上からキッチン天井Ｋ１に至る高さにて取り付けられる縦型ケース部２と、この縦型ケース部２内に設けられて汚染空気Ｇの吸い込み捕集力（以後、「吸引力」と称する）を発生させる装置本体である送風装置３、そして、汚染空気Ｇの清浄化を図る除去手段である除湿手段４、脱臭手段５などを備えて構成されている。
また、レンジフードＡは、フード部１の前面側（使用側）に、送風装置３の運転開始／運転停止のＯＮ／ＯＦＦ操作を行うタッチまたはプッシュタイプのスイッチ類からなる運転操作部６を備えている。
【００３２】
除湿手段４は、送風装置３に一端側が接続され、他端側が縦型ケース部２の前面上部側に開口されている吹出し口７に接続されるように縦型ケース部２内に設けられる空気経路８の下流側に位置して配されている。
この除湿手段４の一例としては、例えば、図１に示すように、ペルチェモジュールであり、直流電流を通電することによって得られる吸熱部４ａのみを空気流路８の水平流路部に位置させて配されている。
ちなみに、ペルチェモジュールへの通電は、フード部１前面の運転操作部６のＯＮ操作（送風装置３の高運転、中運転、低運転）に連動して行われるようになっている。
【００３３】
脱臭手段５は、空気経路８の上流側に位置して配されている。
この脱臭手段５の一例としては、例えば、顆粒状に造粒された無機系イオン吸着剤の下側に消臭剤添着ウレタンフォームを配置し、その消臭剤添着ウレタンフォームの下側と無機系イオン吸着剤の上側に抗菌剤を練り込んだポリプロピレンからなる不織布を配置してサンドイッチした状態で樹脂製や金属製の上下一対の上箱、下箱からなるカートリッジに収容された構成を成している（例えば、特開平１０−１９７０２３号公報などを参照）。
【００３４】
また、レンジフードＡは、フード部１の下向きに開口させた汚染空気Ｇの捕集空間Ｍの底部に取り外し可能に配されるグリスフィルタ９を備え、また、このグリスフィルタ９の上流側には捕集空間Ｍの開口周縁部との間に吸込み隙間Ｓを確保するように着脱自在に取り付けられる整流板１０を備えている。
【００３５】
このように構成されているレンジフードＡは、フード部１前面の運転操作部６のＯＮ操作による送風装置３の運転開始によって加熱調理器や調理鍋などから発生する汚染空気Ｇを吸い込み捕集するとともに、汚染空気Ｇ中に含まれている水分、臭気、油脂分などの汚染物質を空気流路８に配されている除湿手段４、脱臭手段５、グリスフィルタ９の各除去手段より分離除去して汚染空気Ｇを、清浄化したクリーンな空気として吹出し口７から室内（キッチン）に戻す室内循環方式である。
【００３６】
そして、このように汚染空気Ｇを清浄化したのちにクリーンな空気として室内に戻す構成のレンジフードＡは、送風装置３の運転を開始させたときなどにおいて、室内空気を浄化する空気浄化装置に運転開始を指令して、空気浄化装置を連動させて運転させるための運転装置Ｂを備えている。
なお、空気浄化装置としては空気清浄機能や空気換気機能が搭載されている各機種を挙げることができる。例えば、壁面や天井などに取り付けられる壁設置タイプや天井設置タイプなどとして知られているエアコンや換気装置、そして床置きタイプとして知られている空気清浄機や除湿機などを挙げることができる。本実施形態では、エアコンＣを一例に挙げ、そして、多くの水分（水蒸気）が発生する煮込み料理などの加熱調理の場合における室内湿度の上昇を防ぐ除湿についてレンジフードＡとの連動運転について説明する。
【００３７】
≪運転装置の説明≫
図２は、本実施形態に係る運転装置の概略構成を示す機能ブロック図である。ここでは、図１を適宜参照しながら説明する。
運転装置Ｂは、不燃性材料などからなるボックス内に組み込み内設されて、図１に示すレンジフードＡの例えば、調理者側（紙面左側）に位置するフード部１の前面部などの裏側や縦型ケース部２の前面板などの裏側に取り付け設置されるものであり、フード部１前面の運転操作部６のＯＮ操作（送風装置３の運転開始）によって起動するように設定されている。
【００３８】
この運転装置Ｂは、図に示すように、エアコンＣに運転開始指令／運転停止指令信号などを送信する送信手段１１と、汚染空気Ｇ中に含まれている水分、臭気、油脂分などの汚染物質のうち、特に、水分量（水蒸気量）を検出する湿度センサ１２と、この湿度センサ１２により検出された水分量の検出値Ｚｎと設定値Ｚとを比較するマイクロコンピュータ１３内蔵の判定手段１４とを備えて構成されている。
【００３９】
また、運転装置Ｂは、レンジフードＡ（送風装置３）の運転が停止してから設定時間Ｔが経過した後に、送信手段１１を介してエアコンＣに運転停止指令信号を送信するように設定時間Ｔをカウントするマイクロコンピュータ１３内蔵のタイマ手段１５と、送信手段１１を介して運転モードのモード切替え指令信号をエアコンＣに送信するマイクロコンピュータ１３内蔵のモード切替え手段１６とを備えている。
送信手段１１、湿度センサ１２、判定手段１４、タイマ手段１５、モード切替え手段１６は、レンジフードＡの運転中に機能するように設定されている。
【００４０】
≪送信手段の説明≫
送信手段１１は、無線方式または有線方式にてエアコンＣに運転開始／運転停止指令信号などの運転情報を送信する。本実施形態では、エアコンＣの前面などに備えられている赤外線受信部（エアコン用リモコンから発信される赤外線信号を受信する赤外線受光部）に赤外線信号を発信するように構成している。
この送信手段１１は、レンジフードＡが運転を開始、運転を停止したとき、また、湿度センサ１２により検出された検出値Ｚｎが設定値Ｚに達したか、それを超えたと判定手段１４が判定したとき、また、レンジフードＡの運転が停止してからタイマ手段１５が設定時間Ｔをカウントした時点で、それら各手段１４、１５から出力されてくる各種運転情報信号（運転開始指令／運転停止指令信号、モード切替え指令信号など）を受けた時点で、各種運転情報信号を乗せた赤外線信号がエアコンＣの図示省略の赤外線受信部に発信されるように構成されている図示省略の赤外線発信部である。
具体的な図示は省略しているが、送信手段（赤外線発信部）１１は、フード部１の前面部や縦型ケース部２の前面板などから外部に広角にて臨むように配置されて、エアコンＣ（赤外線受信部）に向けて赤外線信号を発信し得るようになっている。
【００４１】
なお、具体的な説明は省略するが、送信手段１１は、各手段１４，１５からの各種運転情報信号を乗せた赤外線信号をエアコンＣに発信するときに、エアコン用リモコンによって既に設定される風量、風向、入力タイマなどのエアコン側の付加的な運転情報をも一緒に乗せて赤外線信号を発信するようになっている。つまり、運転装置Ｂは、エアコンＣを遠隔操作するエアコン用リモコンと同様の情報発信機能を備えている。
【００４２】
≪湿度センサの説明≫
湿度センサ１２は、レンジフードＡの吹出し口７や吹出し口７付近のキッチン天井Ｋ１などに配置されて、汚染空気Ｇが清浄化されたクリーンな空気として吹出し口７から室内（キッチン）Ｋに戻される空気中の水分量（水蒸気量）を検出し、その検出値Ｚｎを判定手段１４に出力するように構成されている。
【００４３】
≪判定手段の説明≫
判定手段１４は、レンジフードＡの運転中に、湿度センサ１２から逐次出力されてくる検出値Ｚｎと設置値Ｚとを比較し、検出値Ｚｎが設定値Ｚに達するか、それを超えたときに汚染空気中に含まれている水分量がレンジフードＡの除湿手段４の除湿能力を超えていると判定し、エアコンＣの運転を開始させる旨の運転開始指令信号を送信手段１１に出力するように構成されている。
【００４４】
≪タイマ手段の説明≫
タイマ手段１５は、運転操作部６のＯＦＦ操作によってレンジフードＡの運転が停止した時点で動作を開始し、設定時間Ｔのカウントを開始するとともに、設定時間Ｔのカウントを終了した時点でエアコンＣの運転を停止させる旨の運転停止指令信号を送信手段１１に出力するように構成されている。
このタイマ手段１５は、使用者が手動操作によって設定時間Ｔを任意に入力設定するアナログ方式またはデジタル方式の時間設定入力部１５ａと、この時間設定入力部１５ａによって設定された設定時間Ｔを記憶させておく内蔵のメモリ１５ｂとを備えて構成されている。
【００４５】
また、タイマ手段１５は、設定時間Ｔのカウントを終了した時点で、０にリセット（初期化）され、なおかつ、動作が停止するように構成されている。これにより、タイマ手段１５は、送風装置３が運転操作部６のＯＦＦ操作によってレンジフードＡの運転が停止した時点で、動作を開始し、０から新たに設定時間Ｔのカウントを開始することになる。
【００４６】
≪モード切替え手段の説明≫
モード切替え手段１６は、エアコンＣの運転モードを除湿運転モードに切替えるべく送信手段１１を介してエアコンＣにモード切替え指令信号を発信するように構成されている。
【００４７】
［作用説明］
つぎに、以上のように構成されている運転装置Ｂを適用させた本実施形態に係るレンジフードＡとエアコンＣとの連動運転について、図３に示すフローチャートに基づき説明する。
図３は、本実施形態に係るレンジフードとエアコンとの連動運転の一例を示す動作フローチャートである。ここでは、図１を適宜参照しながら説明する。
使用者がフード部１前面の運転操作部６のＯＮ操作（手動操作）によってレンジフードＡ（送風装置３の高運転、中運転、低運転）の運転を開始させると、電流が通電されて運転装置Ｂは起動する。
【００４８】
加熱調理中に調理鍋などから発生する汚染空気Ｇは、図１に示すように、フード部１の捕集空間Ｍに吸込み捕集され、該捕集空間Ｍに吸込み捕集された直後に配置されているグリスフィルタ９の通過により油脂分が分離除去され、そして吹出し口７に連通する空気流路８に配置されている脱臭手段５、除湿手段４を順次に通過することにより臭気成分、水分が分離除去されて清浄化されたクリーンな空気として吹出し口７から室内（キッチン）Ｋに吹出し戻される。
すると、吹出し口７から室内（キッチン）Ｋに戻されてきた空気中の水分量が湿度センサ１２によって検出され（ステップ２０）、検出された検出値Ｚｎは、マイクロコンピュータ１３内蔵の判定手段１４へと出力される。
【００４９】
判定手段１４に検出値Ｚｎが入力されると、判定手段１４による検出値Ｚｎと設定値Ｚとを比較する判定が実行される（ステップ２１）。判定手段１４によって、検出値Ｚｎが設定値Ｚに達していないと判定（ＮＯと判定）されている間は、湿度センサ１２から出力されてくる検出値Ｚｎと設定値Ｚとの比較判定が判定手段１４によって継続的にまたは断続的に行われる。つまり、検出値Ｚｎが設定値Ｚに達していないと判定されている間は、送信手段１１からエアコンＣに運転開始指令信号は発信されない。
そして、判定手段１４によって、検出値Ｚｎが設定値Ｚに達したか、それを超えたと判定（ＹＥＳと判定）されると、マイクロコンピュータ１３から送信手段１１に運転開始指令信号が出力される。
【００５０】
送信手段１１に運転開始指令信号が入力されると、運転開始指令信号を乗せた赤外線信号が送信手段１１からエアコンＣ（赤外線受信部）に発信され、また、これと一緒に、マイクロコンピュータ１３から運転モードを除湿運転モードに切り替える旨のモード切替え指令信号を乗せた赤外線信号がエアコンＣに発信される（ステップ２２）。
【００５１】
送信手段１１から運転開始指令信号、モード切替え指令信号を受信したエアコンＣは、除湿運転モードで運転を開始し（ステップ２３）、空気中水分の除湿を行う。つまり、除湿機能を備えているエアコンＣをレンジフードＡと連動運転させて除湿を補助させることができる。
【００５２】
そして、加熱調理が終わり、使用者が運転操作部６によるＯＦＦ操作、または、運転操作部６に備えられている図示省略のタイマ操作によってレンジフードＡの運転が停止すると（ステップ２４）、タイマ手段１５にカウント信号が出力される。タイマ手段１５は、カウント信号が入力されてきた時点で、動作を開始し、設定時間Ｔのカウントを開始（実行）する（ステップ２５）。
タイマ手段１５による設定時間Ｔのカウントが開始され、設定時間Ｔのカウントが終了すると（ステップ２６）、マイクロコンピュータ１３から送信手段１１に運転停止指令信号が出力される。
【００５３】
送信手段１１に運転停止指令信号が入力されると、運転停止指令信号を乗せた赤外線信号が送信手段１１からエアコンＣ（赤外線受信部）に発信され（ステップ２７）、運転停止指令信号を受信したエアコンＣは運転を停止する（ステップ２８）。
【００５４】
このように、運転装置Ｂが適用された本実施形態に係るレンジフードＡによれば、除湿手段４による除湿能力を超える多くの水分（水蒸気）が発生する煮込み料理などの加熱調理の場合には、除湿機能を備えている既設のエアコンＣを有効に活用して除湿を補助させることができる。
【００５５】
なお、図示を省略しているが、運転装置Ｂは、湿度センサ１２、判定手段１４を構成要素とせずに構成することができる。つまり、フード部１前面の運転操作部６がＯＮ操作されてレンジフードＡが運転を開始した時点で、マイクロコンピュータ１３から送信手段１１に運転開始指令信号、モード切替え指令信号が出力され、送信手段１１から赤外線信号に乗せてエアコンＣ（赤外線受信部）に発信させるように運転装置を構成することができる。
また、タイマ手段１５は、時刻設定入力部１５ａを構成要素とせずに構成することができる。つまり、メモリ１５ｂに予め固定された設定時間を書き込み記憶させておき、この固定された設定時間がカウントされた後に、送信手段１１からエアコンＣに運転停止指令信号が発信されるように運転装置を構成することができる。
【００５６】
また、図示を省略しているが、キッチン、ダイニング、リビングの間取りなどによるレンジフードＡとエアコンＣとの設置環境によって、レンジフードＡのフード部１に配置される運転装置の送信手段（赤外線発信部）１１からエアコンＣ（赤外線受信部）に各種運転情報信号（運転開始指令／運転停止指令信号、モード切替え指令信号など）をダイレクトで発信することができない場合、中継送信手段を増設することができる。
例えば、レンジフードＡとエアコンＣが建物の同じ方向を向いている内壁側に位置して設置されていて、送信手段（赤外線発信部）１１とエアコンＣ（赤外線受信部）とを対面（対向）させることができないなどの設置環境の場合においては、送信手段１１から発信される各種運転情報設定信号を中継して赤外線受信部に発信するための中継送信手段を運転装置の構成要素として加えることができる。この場合、中継送信手段を１ヵ所に限らず、数ヶ所に配置して、レンジフードＡの送受信手段１１とエアコンＣを中継させることができる。
【００５７】
また、レンジフードＡからのエアコンＣへの各種運転情報の発信として、赤外線信号を発信媒体として用いたが、電波を用いることができる。
【００５８】
［運転制御システムの実施形態］
つぎに、本発明の実施形態に係る運転制御システムについて説明する。
この実施形態では、前記実施形態詳述の構成からなる室内循環式レンジフードＡ１を一例に挙げて、エアコンＣ１との連動運転について説明する。
なお、説明するまでもないが、室内循環式レンジフードＡ１は、例えば、特開２００５−６９５３５号公報に記載の構成を成している。本実施形態では、図１に示す室内循環式レンジフードＡに付されている符合を引用して説明する。
【００５９】
図４は、本発明の実施形態に係る運転制御システムを示す機能ブロック図である。
なお、運転制御システムにおいて、湿度センサ１２、そしてマイクロコンピュータ１３内蔵のタイマ手段１５、モード切替え手段１６、これらの具体的な機能構成については、前記実施形態詳述と基本的に同じである。同じ符号を付することで重複説明は省略する。
【００６０】
運転制御システムは、不燃性材料などからなるレンジフードＡ側とエアコンＣ側用の２個のボックス内に分かれて組み込み内設されて、例えば、図１に示すレンジフードＡ１の調理者側（紙面左側）に位置するフード部１の前面部などの裏側や縦型ケース部２の前面板などの裏側に位置してレンジフードＡ１側に取り付け設置され、一方、エアコンＣ１側ではエアコン用リモコンから発信される赤外線信号を受信する赤外線受信部が取り付け設定されている前面部の裏面などに位置してエアコンＣ１側に取り付け設置されるものであり、フード部１前面の運転操作部６のＯＮ操作（送風装置３の運転開始）によって起動するように設定されている。
【００６１】
この運転制御システムは、図４に示すように、レンジフードＡ１とエアコンＣ１とにそれぞれ備えられる送受信手段３０，３１と、この送受信手段３０，３１を介してレンジフードＡ１（運転装置３）の運転開始時から汚染空気Ｇ中に含まれている水分、臭気、油脂分などの汚染物質のうち、特に、水分量（水蒸気量）を検出する湿度センサ１２と、この湿度センサ１２により検出された水分量の検出値Ｚｎと設定値Ｚとの判定と、エアコンＣ１の運転の有無状態などの判定を行うマイクロコンピュータ３２内蔵の判定手段３４とを備えて構成されている。
【００６２】
また、運転制御システムは、レンジフードＡ１の運転が停止してから設定時間Ｔが経過した後に、送受信手段３０，３１を介してエアコンＣ１に運転停止指令信号を送信するように設定時間Ｔをカウントするマイクロコンピュータ３２内蔵のタイマ手段１５と、送受信手段３０，３１を介して運転モードのモード切替え指令信号をエアコンＣ１に送信するマイクロコンピュータ３２内蔵のモード切替え手段３５と、送受信手段３０，３１を介して運転モードのモード戻し信号をエアコンＣ１に送信するマイクロコンピュータ３２内蔵のモード戻し手段３６とを備えて構成されている。
【００６３】
また、運転制御システムは、エアコンＣ１側に組み込まれて送受信手段３０，３１を介してエアコンＣ１の運転状態の有無や既に設定されている運転情報などを読み込むためのマイクロコンピュータ３７内蔵のメモリ３８を備えている。
【００６４】
≪送受信手段の説明≫
送受信手段３０，３１は、無線方式または有線方式にてレンジフードＡ１側からエアコンＣ１側に運転開始／運転停止指令信号などの運転情報を送信する一方で、エアコン用リモコンによって既に設定されているエアコンＣ１側の運転情報をレンジフードＡ１側に送信する。本実施形態では、赤外線信号による無線方式にて各種情報の送受信が行われるようにしている。
つまり、レンジフードＡ１側とエアコンＣ１側には、送受信手段３０，３１としての赤外線発信部と赤外線受信部とがそれぞれ備えられていて、レンジフードＡ１側の赤外線発信部からエアコンＣ１側の赤外線受信部に、そしてエアコンＣ１側の赤外線発信部からレンジフードＡ１側の赤外線受信部に無線方式にて各種情報が発信されるようになっている。
具体的な図示は省略しているが、レンジフードＡ１側の赤外線発信部、赤外線受信部は、フード部１の前面部や縦型ケース部２の前面板などから外部に広角にて臨むように配置され、エアコンＣ１側の赤外線発信部、赤外線受信部は、前面部などに配置されて、互いに赤外線信号にて発信、受信し得るようにしている。
【００６５】
≪判定手段の説明≫
判定手段３４は、レンジフードＡ１の運転中に、湿度センサ１２から逐次出力されてくる検出値Ｚｎと設置値Ｚとを比較し、検出値Ｚｎが設定値Ｚに達するか、それを超えたと判定する判定機能と、マイクロコンピュータ３２に読込み取得されたエアコンＣ１の運転の有無状態に応じてエアコンＣ１の運転開始指令信号を送受信手段３０に出力するべきか否かを判定する判定機能を備えている。
例えば、エアコンＣ１の運転が停止状態であると判定した場合、エアコンＣ１の運転開始指令信号を送受信手段３０に出力する。既にエアコンＣ１が運転状態であると判定した場合には運転開始指令信号を送受信手段３０に出力しないとともに、レンジフードＡ１が運転を停止したときにもエアコンＣ１の運転停止指令信号を送受信手段３０に出力しないなどのように構成されている。
【００６６】
また、判定手段３４は、マイクロコンピュータ３２に読込み取得されたエアコンＣ１の既に設定されている運転情報（暖房運転モード、冷房運転モード、除湿運転モードなど）に応じてエアコンＣの運転モードを切り替える旨のモード切替え指令信号を送受信手段３０に出力するべきか否かを判定する判定機能を備えている。
【００６７】
≪モード戻し手段≫
モード戻し手段３５は、運転操作部６のＯＦＦ操作、または、運転操作部６に備えられている図示省略のタイマ操作によってレンジフードＡ１の運転が停止した時点で、エアコンＣ１の運転モードを既に設定されていた設定運転モードに戻す。
具体的に説明すると、エアコンＣ１がレンジフードＡ１からの要求運転モードで運転するとき、既に設定されている暖房運転モードからレンジフードＡ１が要求する除湿運転モードにモード切替え手段３５によって切り替えられた場合において、加熱調理が終わり、レンジフードＡ１の運転が停止した時点で、エアコンＣ１の運転モードを除湿運転モードから暖房運転モードに戻すモード戻し指令信号を送受信手段３０に出力するように構成されている。
【００６８】
≪メモリの説明≫
メモリ３８は、エアコンＣ１側に増設されるマイクロコンピュータ３７に内蔵されて備えられる。
このメモリ３８は、エアコン用リモコンからエアコンＣ１に運転情報が発信されたとき、その運転情報が記録される。すなわち、メモリ３８に記録された運転情報が、レンジフードＡ１からエアコンＣ１に情報読取り信号が発信されたときのエアコンＣ１の既に設定されている現在の運転情報として、レンジフードＡ１のマクロコンピュータ３２に読み込み取得されるように構成されている。
【００６９】
［作用説明］
つぎに、以上のように構成されている運転制御システムによるレンジフードＡ１とエアコンＣ１との連動運手について、図５に示すフローチャートに基づき説明する。
図５〜図７は、本実施形態に係る運転制御システムによるレンジフードとエアコンとの連動運転の一例を示す動作フローチャートである。ここでは、図１に示すレンジフードＡの符号を適宜引用しながら説明する。
使用者がフード部１前面の運転操作部６のＯＮ操作（手動操作）によってレンジフードＡ１（送風装置３の高運転、中運転、低運転）の運転を開始させると、電流が通電されて運転制御システムは起動する。
すると、吹出し口７から室内（キッチン）Ｋに戻されてくる空気中の水分量の検出が湿度センサ１２により実行され（ステップ４０）、検出された検出値Ｚｎは、マイクロコンピュータ３２内蔵の判定手段３４へと出力される。
【００７０】
判定手段３４に検出値Ｚｎが入力されると、判定手段３４による検出値Ｚｎと設定値Ｚとを比較する判定が実行される（ステップ４１）。判定手段３４によって、検出値Ｚｎが設定値Ｚに達していないと判定（ＮＯと判定）されている間は、湿度センサ１２から出力されてくる検出値Ｚｎと設定値Ｚとの比較判定が判定手段３４によって継続して行われる。
つまり、検出値Ｚｎが設定値Ｚに達していないと判定されている間は、レンジフードＡ１側の送受信手段３０からエアコンＣ１側の送受信手段３１に運転開始指令信号やモード切替え指令信号などの指令信号は発信されない。
【００７１】
そして、判定手段３４によって、検出値Ｚｎが設定値Ｚに達したか、それを超えたと判定（ＹＥＳと判定）されると、マイクロコンピュータ３２からエアコンＣ１の運転情報を読込み取得するための情報読込み信号が送受信手段３０に出力される。
送受信手段３０に情報読込み信号が入力されると、情報読込み信号を乗せた赤外線信号が送受信手段３０からエアコンＣ１側の送受信手段３１に発信される（ステップ４２）。
【００７２】
送受信手段３１が受信した情報読込み信号は、マイクロコンピュータ３７に出力される。
送受信手段３１からマイクロコンピュータ３７に情報読込み信号が入力されると、メモリ３８に記録されたエアコンＣ１の運転情報が、マイクロコンピュータ３７から送受信手段３１にエアコンＣ１の現在の運転情報信号として出力される。
【００７３】
送受信手段３１にエアコンＣ１の運転情報信号が入力されると、運転情報信号を乗せた赤外線信号が送受信手段３１からレンジフードＡ１側の送受信手段３０に発信される（ステップ４３）。送受信手段３１からの運転情報信号を送受信手段３０が受信すると、運転情報信号は、送受信手段３０からマイクロコンピュータ３２に出力される。
【００７４】
送受信手段３０からマイクロコンピュータ３２に運転情報信号が入力されると、エアコンＣ１の運転情報がマイクロコンピュータ３２に読み込み取得される（ステップ４４）。
【００７５】
エアコンＣ１に既に設定されている運転情報のマイクロコンピュータ３２への読み込み取得が終了すると、マイクロコンピュータ３２に読み込み書き込まれたエアコンＣ１の運転情報をもとに、エアコンＣ１が運転中か否かの判定が判定手段３４によって実行される（ステップ４５）。
【００７６】
判定手段３４によって、エアコンＣ１が運転中と判定（ＹＥＳと判定）、または、停止状態と判定（ＮＯと判定）されると、つぎに、マイクロコンピュータ３２に読み込み書き込まれたエアコンＣ１の既に設定されている運転情報をもとに、エアコンＣ１の運転モードがレンジフードＡ１からの要求運転モードの除湿運転モードであるか否かの判定が判定手段３４によって実行される（ステップ４６）。
【００７７】
そして、判定手段３４の判定によって、エアコンＣ１が運転中で、その運転モードが除湿運転モードではなく、暖房運転モードである場合は、マイクロコンピュータ３２から送受信手段３０に除湿運転モードへ切り替える旨のモード切替え指令信号が出力される。
送受信手段３０にモード切替え指令信号が入力されてくると、モード切替え指令信号を乗せた赤外線信号が送受信手段３０からエアコンＣ１側の送受信手段３１に発信される（ステップ４７）。
【００７８】
レンジフードＡ１側の送受信手段３０からのモード切替え指令信号をエアコンＣ１側の送受信手段３１が受信した時点で、エアコンＣ１は運転モードを除湿運転モードに切り替えて運転を継続し（ステップ４８）、室内空気中の水分の除湿を行う。
【００７９】
そして、加熱調理が終わり、使用者が運転操作部６による手動操作によるＯＦＦ操作、または、運転操作部６に備えられている図示省略のタイマ操作によってレンジフードＡ１の運転が停止されると（ステップ４９）、タイマ手段１５にカウント信号が出力される。タイマ手段１５は、カウント信号が入力されてきた時点で、動作を開始し、設定時間のカウントを開始（実行）する（ステップ５０）。
【００８０】
タイマ手段１５による設定時間Ｔのカウントが開始され、設定時間Ｔのカウントが終了すると（ステップ５１）、マイクロコンピュータ３２から送受信手段３０にエアコンＣ１の運転モードを除湿運転モードへ切り替える前の暖房運転モードに戻す旨のモード戻し指令信号が出力される。
送受信手段３０にモード戻し指令信号が入力されると、モード戻し指令信号を乗せた赤外線信号が送受信手段３０からエアコンＣ１側の送受信手段３１に発信される（ステップ５２）。モード戻し指令信号をエアコンＣ１側の送受信手段３１が受信した時点で、エアコンＣ１の運転モードが除湿運転モードから暖房運転モードに戻され、エアコンＣ１の運転は継続する（ステップ５３）。
【００８１】
そして、判定手段３４の判定によって、エアコンＣ１が既に運転中で、なおかつ、運転モードも既に除湿運転モードであると判定された場合には、マイクロコンピュータ３２から送受信手段３０に要求運転モード信号は出力されない。つまり、レンジフードＡ１からエアコンＣ１に要求運転モード信号の発信は行われない。
【００８２】
また、判定手段３４の判定によって、エアコンＣ１の運転が停止状態で、運転モードが既に除湿運転モードに設定されている場合にはマイクロコンピュータ３２から送受信手段３０に運転開始指令信号が出力される。
送受信手段３０に運転開始指令信号が入力されると、運転開始指令信号を乗せた赤外線信号が送受信手段３０からエアコンＣ１側の送受信手段３１に発信される（ステップ６０）。
【００８３】
送受信手段３０からの運転開始指令信号をエアコンＣ１側の送受信手段３１が受信した時点で、エアコンＣ１は既に設定されている除湿運転モードで運転を開始し（ステップ６１）、室内空気中の水分の除湿を行う。
【００８４】
そして、加熱調理が終わり、使用者が運転操作部６による手動操作によるＯＦＦ操作、または、運転操作部６に備えられている図示省略のタイマ操作によってレンジフードＡ１の運転が停止すると（ステップ６２）、前記のステップ５０、ステップ５１が実行された後に、マイクロコンピュータ３２から送受信手段３０にエアコンＣ１の運転停止指令信号が出力される。
送受信手段３０に運転停止指令信号が入力されると、運転停止指令信号を乗せた赤外線信号が送受信手段３０からエアコンＣ１側の送受信手段３１に発信される（ステップ６３）。運転停止指令信号をエアコンＣ１側の送受信手段３１が受信した時点で、エアコンＣ１の運転は停止する（ステップ６４）。
【００８５】
また、判定手段３４の判定によって、エアコンＣ１の運転が停止状態で、運転モードが除湿運転モードでではなく、暖房運転モードである場合にはマイクロコンピュータ３２から送受信手段３０に運転開始指令信号と除湿運転モードへ切り替える旨のモード切替え指令信号が出力される。
送受信手段３０に運転開始指令信号とモード切替え指令信号が入力されると、運転開始指令信号とモード切替え指令信号を乗せた赤外線信号が送受信手段３０からエアコンＣ１側の送受信手段３１に発信される（ステップ６５）。
【００８６】
レンジフードＡ１側の送受信手段３０からの運転開始指令信号とモード切替え指令信号をエアコンＣ１側の送受信手段３１が受信した時点で、エアコンＣ１は運転モードを除湿運転モードに切り替えて運転を開始し、空気中水分の除湿を行う。
【００８７】
そして、加熱調理が終わり、使用者が運転操作部６による手動操作によるＯＦＦ操作、または、運転操作部６に備えられている図示省略のタイマ操作によってレンジフードＡ１の運転が停止すると（ステップ６７）、前記のステップ５０、ステップ５１が実行された後に、マイクロコンピュータ３２から送受信手段３０にエアコンＣ１の運転停止指令信号と運転モードを除湿運転モードへ切り替える前の暖房運転モードに戻す旨のモード戻し指令信号が出力される。
送受信手段３０に運転停止指令信号とモード戻し指令信号が入力されると、運転停止指令信号とモード戻し指令信号を乗せた赤外線信号が送受信手段３０からエアコンＣ１側の送受信手段３１に発信される（ステップ６８）。運転停止指令信号とモード戻し指令信号をエアコンＣ１側の送受信手段３１が受信した時点で、エアコンＣ１の運転モードが除湿運転モードから暖房運転モードに戻された後に、エアコンＣ１の運転は停止する（ステップ６９）。
【００８８】
このように、レンジフードＡ１の運転とエアコンＣ１の運転とを連動させる本実施形態に係る運転制御システムによれば、レンジフードＡ１に備えられている除湿手段４による除湿能力を超える多くの水分（水蒸気）が発生する煮込み料理などの加熱調理の場合には、除湿機能を備えているエアコンＣ１を有効に活用して除湿を補助させることができる。
【００８９】
なお、図示を省略しているが、エアコンＣ１側に組み込まれる運転制御システムを構成するマイクロコンピュータ３７として、エアコンＣ１に組み込まれているエアコン用のマイクロコンピュータ３９を引用し、このマイクロコンピュータ３９にメモリ３８を内蔵させることができる。
【００９０】
また、メモリ３８に、エアコンＣ１の運転情報を、記録情報として予め記憶させておくことができる。すなわち、エアコン用リモコンによるエアコンＣ１の運転情報は、メモリ３８の記録情報からマイクロコンピュータ３７によって認識されて、認識された運転情報が、レンジフードＡ１からエアコンＣ１に情報読取り信号が発信されたときのエアコンＣ１の既に設定されている現在の運転情報として、レンジフードＡ１のマクロコンピュータ３２に読み込み取得されるように構成することができる。
【００９１】
以上、本発明の実施形態について詳述したが、具体的な構成はこれらの実施形態に限られるものではなく、本発明の要旨を逸脱しない範囲の設計変更などがあっても本発明に含まれる。また、前記詳述の各図で示した実施形態は、その目的および構成などに特に矛盾や問題がない限り、互いの記載内容を組み合わせることが可能である。また、各図の記載内容はそれぞれ独立した実施形態になり得るものであり、本発明の実施形態は各図を組み合わせた一つの実施形態に限定されるものではない。
例えば、湿度センサ１２に代えて、臭気センサなどの他のセンサを運転装置、運転制御システムの構成要素として採用することで、レンジフードＡ，Ａ１の脱臭手段による脱臭能力を超える多くの臭気成分が発生する焼き魚や焼肉料理などの加熱調理の場合には、脱臭機能や屋外換気機能などの空気浄化機能を備えている空気浄化装置を有効に活用して脱臭を補助させることができる。
【００９２】
また、レンジフードＡ，Ａ１の運転開始／運転停止は、加熱調理器の操作部のＯＮ／ＯＦＦ操作に連動させることができる。この場合、連動操作方式としては、無線方式や有線方式にて行われる。
【符号の説明】
【００９３】
Ａ，Ａ１  レンジフード（室内循環式空気捕集装置）
Ｂ      運転装置
Ｃ，Ｃ１  エアコン（空気浄化装置）
３      送風装置
４      除湿手段（除去手段）
５      脱臭手段（除去手段）
６      運転操作部
９      グリスフィルタ（除去手段）
１１    送信手段
１２    湿度センサ
１４，３４  判定手段
１５    タイマ手段
３０，３１  送受信手段
【図１】
0005815955.tif 000002
【図２】
0005815955.tif 000003
【図３】
0005815955.tif 000004
【図４】
0005815955.tif 000005
【図５】
0005815955.tif 000006
【図６】
0005815955.tif 000007
【図７】
0005815955.tif 000008